(57)【要約】【課題】侵入防止効果が得られる雨樋を提供する。【解決手段】筒状の雨樋本体２と、雨樋本体２を壁面５に取り付ける取付構造９０とを備えた雨樋において、雨樋本体２の長さ方向に長く形成されると共に該雨樋本体２と壁面５との隙間を塞ぐ登攀防止部９を備えるから、壁面５との隙間を塞ぐ登攀防止部９が設けられているため、雨樋１を用いてよじ登ることを防止できる。また、登攀防止部９が面状をなし、取付構造９０を挟む左右両側に、登攀防止部９を有する登攀防止部材たるカバー体１０２，１０２を配置する。さらに、左右の登攀防止部材たるカバー体１０２，１０２同士を連結したから、左右の登攀防止部材たるカバー体１０２，１０２同士を連結して取り付けることができる。【選択図】図２５
2018131867.tif 000002
【特許請求の範囲】
【請求項１】
筒状の雨樋本体と、前記雨樋本体を取付箇所に取り付ける取付構造とを備えた雨樋において、
前記雨樋本体の長さ方向に長く形成されると共に該雨樋本体と前記取付箇所との隙間を塞ぐ登攀防止部を備えることを特徴とする雨樋。
【請求項２】
前記登攀防止部が面状をなすことを特徴とする請求項１記載の雨樋。
【請求項３】
前記取付構造を挟む左右両側に、前記登攀防止部を有する登攀防止部材を配置したことを特徴とする請求項１又は２記載の雨樋。
【請求項４】
前記取付構造の左右一方に、前記登攀防止部を有する登攀防止部材を配置したことを特徴とする請求項１又は２記載の雨樋。
【請求項５】
前記左右の登攀防止部材同士を連結したことを特徴とする請求項３記載の雨樋。
【請求項６】
前記登攀防止部材を前記取付箇所に固定する防止部材用固定部を有することを特徴とする請求項３又は４記載の雨樋。
【請求項７】
前記左右の登攀防止部材の先端を、前記雨樋本体の外側を覆う前カバー部により連結したことを特徴とする請求項３記載の雨樋。
【請求項８】
前記左右の登攀防止部材の端面に蓋体を設けたことを特徴とする請求項３記載の雨樋。
【請求項９】
前記登攀防止部の長さは前記雨樋本体の長さ以上であることを特徴とする請求項１〜６のいずれか１項に記載の雨樋。
【発明の詳細な説明】
【技術分野】
【０００１】
本発明は雨樋に関する。
【背景技術】
【０００２】
従来の雨水排水用雨樋は、材質に係らず、建物及び構造物に取付設置する場合、単独の取付金具を上下に間隔を置いて施工している（例えば特許文献１及び２）。
【０００３】
近年の気象変動により、大雪、ゲリラ豪雨、竜巻、突風及び大型台風などによる自然災害が頻発しており、建物の屋根材、外壁材、外装材、看板などが設計強度を超えた自然災害を受けると、被害が発生する虞がある。
【０００４】
そこで、強度基準が見直され、強度基準の改定が行われており、その結果、雨樋の取付金具も強度が増加し、自然災害が発生しても簡単に破損しない製品が開発されている。
【０００５】
ところが、自然災害による被害が減少している一方で、悪意を持った人による雨樋へのよじ登り侵入犯罪の増加が懸念される。
【０００６】
雨樋の取付金具も、より強度のあるものを使用するため、よじ登っても壊れなくなり、折からのスポーツクライミングやボルダリングブームもあり、建物の上階へ次から次へよじ登り、部外者がベランダや窓から侵入する虞が増加している。
【０００７】
そこで、上述した問題を考慮して、壁取り付け部と縦樋保持部との間の部分に忍び返しを設けたもの（例えば特許文献３）や、帯状金属板に複数の針状金属を突設したもの（例えば特許文献４）が提案されている。
【先行技術文献】
【特許文献】
【０００８】
【特許文献１】実開平５−１６９５８号公報
【特許文献２】特開２００９−１０２８１０号公報
【特許文献３】特開２００５−２９９３２７号公報
【特許文献４】実用新案登録第３０３８２８４号公報
【発明の開示】
【発明が解決しようとする課題】
【０００９】
しかし、特許文献３及び４では、鋭利な突起により侵入を抑制することができるが、反面、突起により人が生理的及び心理的に嫌悪感を抱くとともに、建物全体の意匠性を損なうという問題がある。
【００１０】
そこで、本発明では、上記の問題点を考慮して、侵入防止効果が得られる雨樋を提供することを目的とし、加えて、従来の取付金具を用いた構造に適用可能な雨樋を提供することを目的とする。
【課題を解決するための手段】
【００１１】
請求項１の発明は、筒状の雨樋本体と、前記雨樋本体を取付箇所に取り付ける取付構造とを備えた雨樋において、前記雨樋本体の長さ方向に長く形成されると共に該雨樋本体と前記取付箇所との隙間を塞ぐ登攀防止部を備えることを特徴とする。
【００１２】
請求項２の発明は、前記登攀防止部が面状をなすことを特徴とする。
【００１３】
請求項３の発明は、前記取付構造を挟む左右両側に、前記登攀防止部を有する登攀防止部材を配置したことを特徴とする。
【００１４】
請求項４の発明は、前記取付構造の左右一方に、前記登攀防止部を有する登攀防止部材を配置したことを特徴とする。
【００１５】
請求項５の発明は、前記左右の登攀防止部材同士を連結したことを特徴とする。
【００１６】
請求項６の発明は、前記登攀防止部材を前記取付箇所に固定する防止部材用固定部を有することを特徴とする。
【００１７】
請求項７の発明は、前記左右の登攀防止部材の先端を、前記雨樋本体の外側を覆う前カバー部により連結したことを特徴とする。
【００１８】
請求項８の発明は、前記左右の登攀防止部材の端面に蓋体を設けたことを特徴とする。
【００１９】
請求項９の発明は、前記登攀防止部の長さは前記雨樋本体の長さ以上であることを特徴とする
【発明の効果】
【００２０】
請求項１の構成によれば、取付箇所との隙間を塞ぐ登攀防止部が設けられているため、雨樋を用いてよじ登ることを防止できる。
【００２１】
請求項２の構成によれば、面状の外面によりよじ登ることを防止できる。
【００２２】
請求項３の構成によれば、左右両側の登攀防止部材によりよじ登ることを防止できる。
【００２３】
請求項４の構成によれば、左右一方の登攀防止部材によりよじ登ることを防止でき、構造簡易となる。
【００２４】
請求項５の構成によれば、前記左右の登攀防止部材同士を連結して取り付けることができる。
【００２５】
請求項６の構成によれば、防止部材固定部により登攀防止部材を取付箇所に取り付けることができる。
【００２６】
請求項７の構成によれば、左右の登攀防止部材と前カバー部により雨樋本体を覆うことができ、意匠性も向上する。
【００２７】
請求項８の構成によれば、登攀防止部材の間へのゴミや水の侵入を防止できる。
【００２８】
請求項９の構成によれば、登攀防止効果が向上する。
【図面の簡単な説明】
【００２９】
【図１】本発明の実施例１を示す雨樋本体と当て板の平面図である。
【図２】同上、雨樋本体の分解平面図である。
【図３】同上、当て板の固定箇所の拡大断面図である。
【図４】同上、下部側に取付構造を設けた雨樋の斜視図である。
【図５】同上、下部側に取付構造を設けた他の雨樋の斜視図である。
【図６】同上、略全長に取付構造を設けた雨樋の斜視図である。
【図７】同上、雨樋の下部側の側面図である。
【図８】同上、雨樋の上部側の側面図である。
【図９】同上、雨樋の接合個所の側面図である。
【図１０】同上、他の雨樋の側面図である。
【図１１】本発明の実施例２を示す雨樋本体の平面図である。
【図１２】同上、雨樋の斜視図である。
【図１３】本発明の実施例３を示す雨樋本体の平面図である。
【図１４】本発明の実施例４を示す雨樋本体の平面図である。
【図１５】本発明の実施例５を示す雨樋本体の平面図である。
【図１６】本発明の実施例６を示す雨樋本体の平面図である。
【図１７】本発明の実施例７を示す雨樋本体の平面図である。
【図１８】本発明の実施例８を示す雨樋本体の平面図である。
【図１９】本発明の実施例９を示す雨樋本体の平面図である。
【図２０】本発明の実施例１０を示す雨樋本体の平面図である。
【図２１】本発明の実施例１１を示す雨樋本体の平年図である。
【図２２】本発明の実施例１２を示す雨樋本体の平面図である。
【図２３】本発明の実施例１３を示す雨樋本体の平面図である。
【図２４】本発明の実施例１４を示す雨樋本体の側面図である。
【図２５】本発明の実施例１５を示す雨樋本体の平面図である。
【図２６】同上、取付具を図示省略した雨樋本体の平面図である。
【図２７】同上、登攀防止部材の分解斜視図である。
【図２８】本発明の実施例１６を示す雨樋本体の平面図である。
【図２９】本発明の実施例１７を示す雨樋本体の平面図である。
【図３０】本発明の実施例１８を示す雨樋本体の平面図である。
【図３１】同上、取付前の雨樋本体の平面図である。
【図３２】本発明の実施例１９を示す雨樋本体の平面図である。
【図３３】本発明の実施例２０を示す雨樋本体の平面図である。
【図３４】同上、雨樋の要部の斜視図である。
【図３５】同上、要部の断面図である。
【図３６】本発明の実施例２１を示す雨樋本体の平面図である。
【図３７】本発明の実施例２２を示す雨樋本体の平面図である。
【図３８】本発明の実施例２３を示す雨樋本体の平面図である。
【図３９】同上、取付部と取付部側連結部の取付前の平面図である。
【図４０】本発明の実施例２４を示す雨樋本体の平面図である。
【図４１】本発明の実施例２５を示す雨樋本体の平面図である。
【図４２】本発明の実施例２６を示す雨樋本体の平面図である。
【図４３】本発明の実施例２７を示す雨樋本体の平面図である。
【図４４】本発明の実施例２８を示す雨樋本体の平面図である。
【図４５】本発明の実施例２９を示す雨樋本体の平面図である。
【図４６】本発明の実施例３０を示す雨樋本体の平面図である。
【図４７】本発明の実施例３１を示す雨樋本体の平面図である。
【発明を実施するための最良の形態】
【００３０】
本発明における好適な実施の形態について、添付図面を参照しながら詳細に説明する。尚、以下に説明する実施の形態は、特許請求の範囲に記載された本発明の内容を限定するものではない。また、以下に説明される構成の全てが、本発明の必須要件であるとは限らない。各実施例では、従来とは異なる新規な雨樋を採用することにより、従来にない雨樋が得られ、その雨樋について記述する。
【実施例１】
【００３１】
以下、本発明の雨樋を添付図面を参照して説明する。図１〜図１０は、本発明の実施例１を示し、同図に示すように、雨樋１は、雨樋本体２の上下方向に沿って取付部たるガイドレール３を設け、このガイドレール３に取付部材４を連結し、この取付部材４を取付箇所たる建築物の壁面５に固定することにより、この壁面５と間隔をおいて前記雨樋本体２が該壁面５に固定される。尚、この例では前記雨樋本体２の断面形状は円形である。また、ガイドレール３を一体に設けた雨樋本体２は、アルミニウム合金製が例示されるが、材質に係らず押出し成型機や曲げ成型機などによる押出し成型や曲げ加工などにより形成され、図に示す断面形状が長さ方向全長に連続して形成され、以下の実施例の取付部材４も断わりのない場合、同一断面形状が長さ方向に連続する。
【００３２】
図２などに示すように、前記ガイドレール３は、雨樋本体２の外面から突出し、外側に向かって間隔が開く左右対称のレール体たる突片１１，１１を一体に備え、これら突片１１，１１の先端には、相互に近づくように内側に突出した先端縁部１２，１２が必要に応じて形成され、これら先端縁部１２，１２の先端は自由端であって、それら先端縁部１２，１２間の隙間により開口部１３が形成されている。そして、前記突片１１，１１は、雨樋本体２の直径方向と角度をなす。
【００３３】
この例では、前記取付部材４は、前記壁面５に固定される固定部６と、この固定部６と前記ガイドレール３とを連結する連結部材７とを備える。これら固定部６，連結部材７及び後述する当て板などにより、雨樋１を使って登ることを防止する侵入防止取付構造８を構成している。尚、固定部６及び連結部材７は、材質に係らず押出し成型機や曲げ成型機などにより形成される。
【００３４】
また、前記取付部材４の左右の外面により、雨樋本体２と壁面５との隙間を塞ぐ登攀防止部９を構成している。尚、この例では、固定側板部１７の前後寸法が小さいから、連結部材７の連結側板部２１の外面により登攀防止部９を構成してもよく、この場合、連結部材７より固定部６を短くし、複数の固定部６を雨樋本体２の長さ方向に間隔を置いて配置してもよい。
【００３５】
前記固定部６は、前記壁面５に当接する板状の固定本体１４を備え、この固定本体１４には、長さ方向に間隔を置いて複数の透孔１５が穿設され、この透孔１５に、取付箇所への固定手段であるアンカーボルト１６を挿通し、このアンカーボルト１６を壁面５に埋設固定している。また、固定部６は、前記固定本体１４の左右両側から突設した固定側板部（固定部６の側板部）１７，１７と、この固定側板部１７の先端に設けられた弾性係止部１８とを備え、この係止部１８は先端側内面に傾斜面１８Ａを設け、この傾斜面１８Ａの基端に係止段部１８Ｂが設けられている。
【００３６】
前記連結部材７は、左，右の連結側板部２１，２１と、前記固定部側の後板部２２と、前板部２３と、前記後板部２２の左右から後方に突出した弾性係止受部２４，２４とを一体に備え、この係止受部２４は先端側に湾曲状の先端部２４Ａを有し、この先端部２４Ａの外側基端に係止段部２４Ｂが設けられている。これら左右の係止受部２４，２４が前記係止部１８，１８に前後方向（近付く方向）から係止することにより前記固定部６に前記連結部材７が連結される。具体的には、両者を近付けると、前記傾斜面１８Ａに湾曲状の先端部２４Ａが当接し、さらに、近付けると、左右の係止受部２４，２４が近付くように弾性変形した後、係止段部１８Ｂ，２４Ｂ同士が係止する。尚、この場合、左右の係止部１８，１８も弾性変形するように構成してもよい。そして、前記係止受部２４により、連結部材７を固定部６に連結する固定部側連結部を構成している。
【００３７】
係止段部１８Ｂ，２４Ｂ同士が係止した連結状態で、前記係止部１８の先端が、前記係止受部２４の基端の段部２５に当接すると共に、固定側板部１７と連結側板部２１の外面が連続する。また、左右の連結側板部２１，２１の間隔は、雨樋本体２の左右幅である外径より狭い。
【００３８】
前記連結側板部２１の前端２１Ｔは、前記雨樋本体２の外面に当接又は近接し、この例では当接している。尚、当接する場合、前端２１Ｔは円形の雨樋本体２の外周形状に合わせて湾曲又は斜めに形成される。また、前記前板部２３の前面には、前記ガイドレール３に連結する取付部側連結部２６が設けられている。この取付部側連結部２６は、前記左右の突片１１，１１を左右から挟む左右の挟持突片２７，２７と、前記左右の先端縁部１２，１２の内面側に係止する左右の係止片２８，２８とを備え、ガイドレール３に対して取付部側連結部２６が長さ方向から挿入されることにより連結される。
【００３９】
前記固定本体１４の外面の左右に、左右の湾曲状の突片によりビスホール３１，３１を設け、また、前記固定側板部１７，１７の内面にビスホール３１，３１を設けている。取付状態で、前記ガイドレール３，連結部材７及び固定部６の上端面及び下端面を面一にし、その上端面又は／及び下端面に、滑り止め部材たる当て板３２を固定する。この当て板３２は、固定本体１４の外面と、左右の側板部１７，１７，２１，２１の外面と、雨樋本体２の外周とに囲まれた形状を有し、前記ビスホール３１，３１，３１，３１に対応して、透孔３３を穿設し、この透孔３３に螺合固定手段たる皿ねじ３４を挿通し、この皿ねじ３４を前記ビスホール３１，３１，３１，３１に螺合することにより固定部６と連結部材７に当て板３２が固定される。また、前記透孔３３には、前記皿ねじ３４の頭部３４Ｔを収納するテーパー部３３Ｔが設けられている。
【００４０】
そして、前記当て板３２を端面板として使用する場合、前記当て板３２を連結部材７及び固定部６の上端面に固定することにより、連結部材７及び固定部６の長さ方向のズレが防止され、前記当て板３２を連結部材７及び固定部６の下端面に固定することより、ガイドレール３を設けた雨樋本体２と連結部材７と固定部６の長さ方向のズレが防止される。このように取付部材４に固定した当て板３２は、上側の取付部たるガイドレール３を支持する支持体であり、また、当て板３２は、固定部６の端面を塞ぐ蓋体であるから、固定部６内へのゴミや水の侵入を防止できる。
【００４１】
図４及び図５に示す雨樋１は、複数の雨樋本体２を上下方向に連結し、途中には雨樋本体２に分岐管４１を設けたＴ字形雨樋本体４２が設けられており、雨樋１の下部側の雨樋本体２に侵入防止取付構造８を設け、この例では、Ｔ字形雨樋本体４２に接続する雨樋本体２に侵入防止取付構造８を設け、侵入防止取付構造８の長さは４ｍ程度である。尚、図中４３，４４は、雨樋本体２を壁面５に固定する取付構造たる取付具であり、図４の取付具４３は図５の取付具４４より取付け強度が強い。また、上部の雨樋本体２には、雨水が流入する流入管４５が接続されている。尚、侵入防止取付構造８と登攀防止部９の長さは略等しい。
【００４２】
図４、図５及び図６に示したように、雨樋１の下部に登攀防止部９を設ける例では、図７に示すように、設置面１０からの登攀防止部９の上端の高さＨを３ｍ以上とすることが好ましく、設置面１０からの登攀防止部９の下端の高さＨ１は１ｍ以下でもよく、この場合は登攀防止部９の長さは２ｍ以上で良く、また、雨樋１の下部でも、中間でも、登攀防止部９が３ｍ以上あれば、より確実な登攀防止効果が得られる。
【００４３】
また、図６に示すように、登攀防止部９を雨樋１の略全長に設ける場合、上下の取付構造８，８の間に多少の隙間があっても良く、この場合の隙間は、指３本や靴のつま先が入らない３０ｍｍ以下程度が例示される。具体的には、それぞれ１．５ｍの上下の登攀防止部９，９の間に隙間３０ｍｍを設けたものは、登攀防止部９が３ｍ以上となる。
【００４４】
図６に示す雨樋１は、その略全長に前記侵入防止取付構造８を設け、前記取付具４３，４４は用いていない。
【００４５】
図７に示すように、最下部の雨樋本体２の下部には、排水カバー管４６が設けられ、この排水カバー管４６の下部には埋設管４７が接続され、埋設管４７の少なくとも一部が設置面１０下方の地中に埋設されている。
【００４６】
また、図７〜図９に示すように、雨樋本体２の下部には、径小な挿入部４８を設け、この挿入部４８を下部の雨樋本体２内に挿入接続している。また、上下の雨樋本体２，２，４２の接合個所４９には前記当て板３２を設け、その接合個所４９には当て板３２の厚さに対応して隙間を設ける。また、接合個所４９に設ける当て板３２は、上下のいずれか一方の端面に固定すればよい。尚、図４に示したように、侵入防止取付構造８を下側に１箇所のみ設ける場合は、取付部材４の上下に当て板３２を固定することが好ましい。この場合、少なくとも、取付部材４の下端に当て板３２を設けることにより、下端の当て板３２がガイドレール３を支持する。尚、図９のように上下に取付部材４，４がある場合は、当て板３２は、上下いずれの取付部材４，４に固定してもよく、下側の当て板３２の上に上側のガイドレール３が載置状態で支持される。
【００４７】
図１０では、Ｔ字形雨樋本体４２を除いた雨樋１の縦樋の略全長に侵入防止取付構造８を設けている。また、ベランダなどの建築物の下面５Ｋに、横樋の雨樋本体２Ｙを侵入防止取付構造８により取り付けており、こうすることにより横樋雨樋本体２Ｙを使い、ぶら下がって移動することを防止できる。
【００４８】
次に、上記構成につきその作用・効果を説明する。雨樋本体２に対して同じ長さの取付部材４を形成する。この場合、連結部材７は雨樋本体２と同じ長さのものを用い、固定部は雨樋本体２と同じ長さのものを用いる以外に、長いものや短いものを用いることができる。
【００４９】
まず、固定部６をアンカーボルト１６により壁面５に固定する。一方、固定部６に取り付ける前に、ガイドレール３の一端部に取付部側連結部２６の他側を合わせ、雨樋本体２に対して連結部材７を長さ方向にスライドしてガイドレール３に取付部側連結部２６を嵌合する。このように長尺なガイドレール３と取付部側連結部２６との連結作業を簡便に行うことができる。
【００５０】
この嵌合後に、取付部材４の上下の必要な端面に、当て板３２を皿ねじ３４により固定する。地上で複数の雨樋本体２，２・・・を連結した後、連結部材７の係止受部２４，２４を壁面５に近付けるようにして前後方向から係止部１８，１８に嵌合する。この場合、連結部材７を固定部６に近付けるようにして平行移動し、係止受部２４，２４と係止部１８，１８とを嵌合する。このように嵌合作業を容易に行うことができる。或いは、固定部６への取付と同時に、雨樋本体２を下の雨樋本体２を接続してもよい。この場合は、予め、挿入部４８の長さ分以上だけ、連結部材７に対して雨樋本体２を上にずらしておき、その連結部材７を固定部６に取付けた後、上の雨樋本体２を下げて下の雨樋本体２の上部開口に上の雨樋本体２の挿入部４８を挿入接続する。
【００５１】
このようにして設置した雨樋１においては、雨樋本体２と壁面５との間が取付構造８の登攀防止部９，９により塞がれているため、雨樋本体２を手で握って登ることができず、また、取付部材４の上端面が露出していないか、その上端面が地上から離れた上に位置するか、上，下の取付部材４，４の上端面の間隔が離れているため、足を掛けることができない。また、登攀防止部９たる外面には鋭利な突起がなく、略平面状の外面が連続して表れるため、意匠性にも優れる。尚、両側の登攀防止部９，９は平行に配置されている。  このように本実施例では、請求項１に対応して、筒状の雨樋本体２と、雨樋本体２を取付箇所たる壁面５に取り付ける取付構造８とを備えた雨樋において、雨樋本体２の長さ方向に長く形成されると共に該雨樋本体２と壁面５との隙間を塞ぐ登攀防止部９を備えるから、壁面５との隙間を塞ぐ登攀防止部９が設けられているため、雨樋１を用いてよじ登ることを防止できる。
【００５２】
このように本実施例では、請求項２に対応して、登攀防止部９が面状をなすから、面状の外面によりよじ登ることを防止できる。
【００５３】
このように本実施例では、筒状の雨樋本体２と、雨樋本体２を取付箇所たる壁面５に取り付ける取付構造とを備えた雨樋において、取付構造８は、雨樋本体２に設けられた取付部たるガイドレール３と、ガイドレール３に連結され雨樋本体２を壁面５に取り付ける取付部材４とを備え、取付部材４は、壁面５に固定される固定部６と、前記固定部６に設けられガイドレール３に連結する取付部側連結部２６とを備え、取付構造８には、雨樋本体２の長さ方向に長く形成されると共に該雨樋本体２と壁面５との隙間を塞ぐ登攀防止部９を設けたから、取付部材４により雨樋本体２を壁面５に取付けることができるため、長尺な取付部材４を備えた雨樋１において取付作業性に優れると共に、尖った部分がなく意匠性にも優れ、その雨樋本体２には、壁面５との隙間を塞ぐ登攀防止部９が設けられているため、雨樋１を用いてよじ登ることを防止できる。
【００５４】
このように本実施例では、登攀防止部９が取付部材４の外面により構成されているから、面状の外面によりよじ登ることを防止できる。
【００５５】
このように本実施例では、取付部材４は、取付部たるガイドレール３と固定部６との間に設けられる連結部材７を備え、連結部材７は、ガイドレール３に連結する取付部側連結部２６と、固定部６に連結する固定部側連結部たる係止受部２４とを備えるから、連結部材７の前後方向の製作寸法を調整することにより、雨樋本体２と壁面５との間隔を調整することができる。
【００５６】
このように本実施例では、取付部たるガイドレール３に取付部側連結部２６が雨樋本体２の長さ方向から嵌合するから、雨樋本体２に対して取付部材４側を長さ方向にスライドすることにより、雨樋本体２のガイドレール３に取付部材４の取付部側連結部２６を嵌合して連結することができる。
【００５７】
このように本実施例では、取付部材４の長さ方向端面に蓋体たる当て板３２を設けたから、当て板３２により取付部材４内へのゴミや水などの侵入を防止できる。
【００５８】
このように本実施例では、取付部材４の長さ方向端面に、雨樋本体２を支持する支持体たる当て板３２を設けたから、取付部側連結部２６に嵌合したガイドレール３を当て板３２により支持することにより、雨樋本体２の下方へのずれを防止できる。
【００５９】
このように本実施例では、雨樋本体２と登攀防止部９が略同一長さであるから、登攀防止効果が向上する。
【００６０】
実施例上の効果として、ガイドレール３と取付部側連結部２６とが長さ方向にスライドしての嵌合であるのに対して、固定部６と連結部材７とが長さ方向と交差方向に移動して近付けることによる嵌合であり、係止部１８と係止受部２４が段発的に嵌合するから、壁面５に固定部６を固定した後の取付が容易となる。また、当て板３２は取付部材４の上下端面に固定することにより、蓋体と支持板を兼用するから、利便性に優れる。さらに、ビスホール３１とビスたる皿ねじ３４を用いることにより、当て板３２の固定を確実且つ容易に行うことができる。また、建築物の下面５Ｋに、横樋の雨樋本体２Ｙを侵入防止取付構造８により取り付けるから、横樋の雨樋本体２Ｙにぶら下がって移動することを防止できる。さらに、固定部６と連結部材７の端面に当て板３２を設けたから、固定部６と連結部材７の上下方向のずれを防止できる。また、固定部６と連結部材７にそれぞれビスホール３１を設けたから、固定部６と連結部材７の上端においてビスホール３１により当て板３２を固定することにより、当て板３２の下の固定部６と連結部材７のずれを防止することができる。さらに、当て板３２は、左右の側板部１７，１７，２１，２１の外面、即ち登攀防止部９，９より外部に出っ張る部分がないから、足などを掛けることができない。
【実施例２】
【００６１】
図１１及び図１２は本発明の実施例２を示し、上記実施例１と同一部分に同一符号を付し、その詳細な説明を省略して詳述する。この例では、雨樋本体２の変形例を示し、この例の雨樋本体２は前，後板部３６，３６と左，右板部３７，３７を有する断面方形をなし、後板部３６の左右方向中央に前記ガイドレール３が設けられている。
【００６２】
図１２に示す雨樋１は、複数の方形をなす雨樋本体４２を上下方向に連結し、途中にはＴ字形雨樋本体４２，４２が設けられ、上側のＴ字形雨樋本体４２の分岐管４１は円形をなし、下側のＴ字形雨樋本体４２の分岐管４１は方形をなしている。また、最下部の雨樋本体は曲管５０になっている。そして、上端の雨樋本体２，Ｔ字形雨樋本体４２，４２及び曲管５０を除いた雨樋１の略全長に前記侵入防止取付構造８を設けている。
【００６３】
このように本実施例では、角形筒状の雨樋本体２と壁面５との隙間に登攀防止部９，９を設けたから、上記実施例１と同様な作用・効果を奏する。
【実施例３】
【００６４】
図１３は本発明の実施例３を示し、上記各実施例と同一部分に同一符号を付し、その詳細な説明を省略して詳述する。この例では、取付部たるガイドレール３と取付部側連結部２６の変形例を示す。
【００６５】
実施例１の雨樋本体２において、ガイドレール３は、前後方向の突片１１Ａ，１１Ａを備え、これら突片１１Ａ，１１Ａの先端側には、相互に近づくように左右方向で内側に突出した先端縁部１２Ａ，１２Ａが形成され、これら先端縁部１２Ａ，１２Ａの先端は自由端であって、それら先端縁部１２Ａ，１２Ａ間の隙間により前記開口部１３が形成されている。
【００６６】
取付部側連結部２６は、前後片と左右片からなるＬ型の係止突片５１，５１により構成されている。
【００６７】
このように本実施例では、ガイドレール３が前後方向の突片１１Ａ，１１Ａを備え、これに長さ方向から嵌合する取付部側連結部２６を備えるから、上記各実施例と同様な作用・効果を奏する。
【実施例４】
【００６８】
図１４は本発明の実施例４を示し、上記各実施例と同一部分に同一符号を付し、その詳細な説明を省略して詳述する。この例では、実施例２の雨樋本体２に、実施例３のガイドレール３を設け、実施例２の連結部材７に、実施例３の取付部側連結部２６を設けている。
【００６９】
このように本実施例では、角形筒状の雨樋本体２と壁面５との隙間に登攀防止部９，９を設けたから、上記各実施例と同様な作用・効果を奏する。
【実施例５】
【００７０】
図１５は本発明の実施例５を示し、上記各実施例と同一部分に同一符号を付し、その詳細な説明を省略して詳述する。この例では、取付部たるガイドレール３と取付部側連結部２６の変形例を示す。
【００７１】
実施例１の雨樋本体２において、ガイドレール３は、雨樋本体２の外周の後側左右に肉厚部５２，５２を形成し、こられ肉厚部５２，５２に、中央側に開口した係止溝５３，５３を設けてなり、これら左右の係止溝５３，５３の間には間隔が設けられている。
【００７２】
取付部側連結部２６は、前記係止溝５３，５３に係止する係止突片５４，５４により構成されている。
【実施例６】
【００７３】
図１６は本発明の実施例６を示し、上記各実施例と同一部分に同一符号を付し、その詳細な説明を省略して詳述する。この例では、実施例２の角型の雨樋本体２に、実施例５のガイドレール３を設け、実施例２の連結部材７に、実施例５の取付部側連結部２６を設けている。
【実施例７】
【００７４】
図１７は本発明の実施例７を示し、上記各実施例と同一部分に同一符号を付し、その詳細な説明を省略して詳述する。この例では、雨樋本体２に連結部材７を一体に設けている。そして、連結部材７を一体に設けた雨樋本体２は、材質に係らず押出し成型機や曲げ成型機などにより形成される。
【００７５】
具体的には、雨樋本体２に前記連結側板部２１，２１を一体に設け、これら連結側板部２１，２１の後端に前記係止部１８，１８を設けている。また、前記固定部６は、前記固定本体１４の左右に前記係止受部２４，２４を設けている。尚、ビスホール３１は連結側板部２１，２１のみに設けられている。また、連結側板部２１の内面には、ストッパ部たるストッパ片５６が突設され、このストッパ片５６は前記係止受部２４の先端に対応して設けられ、前記ストッパ片５６により、前後方向の連結時に、係止部１８が固定本体１４の内面側まで移動することを防止している。
【００７６】
そして、この例では、前記係止部１８，１８を設けた連結側板部２１，２１により、雨樋本体２の取付部５７を構成し、また、固定部６に設けた係止受部２４により取付部側連結部２６Ａを構成している。さらに、前記固定部６により取付部材４を構成している。また、取付構造８の取付部５７の外面が登攀防止部９である。
【００７７】
この例では、前記当て板３２は、固定本体１４と両連結側板部２１，２１の外面と前記雨樋本体２の外周により囲まれた形状をなす。そして、この例でも、断面円型の雨樋本体２に代えて断面方形の雨樋本体２を用いてもよい。また、この例では、壁面５と雨樋本体２との間隔が狭いものに適している。
【００７８】
このように本実施例では、筒状の雨樋本体２と、雨樋本体２を取付箇所たる壁面５に取り付ける取付構造とを備えた雨樋において、取付構造８は、雨樋本体２に一体に設けられた取付部５７と、取付部５７に連結され雨樋本体２を壁面５に取り付ける取付部材４とを備え、取付部材４は、壁面５に固定される固定部６と、前記固定部６に設けられ取付部５７に連結する取付部側連結部２６Ａとを備え、取付構造８には、雨樋本体２の長さ方向に長く形成されると共に該雨樋本体２と壁面５との隙間を塞ぐ登攀防止部９を設けたから、上記各実施例と同様な作用・効果を奏する。
【実施例８】
【００７９】
図１８は本発明の実施例８示し、上記各実施例と同一部分に同一符号を付し、その詳細な説明を省略して詳述する。この例では、雨樋本体２に連結部材７を一体に設けている。具体的には、連結側板部２１，２１を雨樋本体２に一体に設けると共に、それら連結側板部２１，２１を実施例７に比べて長く形成しており、壁面５と雨樋本体２との間隔が広いものに適している。
【００８０】
そして、この例では、前記係止受部２４，２４を設けた連結側板部２１，２１により、雨樋本体２の取付部５７Ａを構成し、また、固定部６に設けた係止部１８により取付部側連結部２６Ｂを構成している。さらに、前記固定部６により取付部材４を構成している。また、取付構造８の取付部５７Ａの外面とこれに連続する固定側板部１７の外面が登攀防止部９である。
【実施例９】
【００８１】
図１９は本発明の実施例９を示し、上記各実施例と同一部分に同一符号を付し、その詳細な説明を省略して詳述する。この例では、連結部材７は、前側連結部材６１と後側連結部材６２を組み立ててなる。
【００８２】
前記固定部６には、固定本体１４と固定側板部１７，１７の角部に前記ビスホール３１を設けられている。
【００８３】
前記後側連結部材６２は、前記固定側板部１７，１７の前端に前記係止部１８，１８を設け、前記係止部１８の後側で前記固定側板部１７の内面に左右方向の前記ストッパ片５６，５６が突出されている。また、左右の連結側板部２１，２１の前側には、左右方向の中板部６３が設けられ、この中板部６３と連結側板部２１の角部に前記ビスホール３１を設けている。
【００８４】
前記前側連結部材６１は、前記前板部２３の後面左右に前記係止受部２４，２４を設け、前記前板部２３の前面左右に、前連結側板部２１Ｍ，２１Ｍを設け、図１９に示すように、前連結側板部２１Ｍの前端２１Ｔは雨樋本体２の外周に近接している。
【００８５】
前記取付部側連結部２６は、前記左右の突片１１，１１を左右から挟む左右の挟持突片６４，６４からなり、これら左右の挟持突片６４，６４は前側に向かって間隔が狭まるように斜めに突設されている。
【００８６】
尚、当て板３２は、固定本体１４の外面と、左右の側板部１７，１７，２１，２１，２１Ａ，２１Ａの外面と、雨樋本体２の外周とに囲まれた形状を有する。
【００８７】
このように本実施例では、取付部材４は、取付部たるガイドレール３と固定部６との間に設けられる連結部材７を備え、連結部材７は、前側連結部材６１と後側連結部材６２を組み立ててなり、ガイドレール３に連結する取付部側連結部２６と、固定部６に連結する固定部側連結部たる係止受部２４とを備えるから、上記各実施例と同様な作用・効果を奏する。
【００８８】
また、取付部たるガイドレール３にスライド嵌合する前側連結部材６１が比較的軽量となるから、ガイドレール３と取付部側連結部２６との連結作業が容易となる。さらに、前側連結部材６１には、取付部たるガイドレール３の形状に対応する係止受部２４を設ければよいから、取付部材４において、他の部材の汎用性が向上する。
【実施例１０】
【００８９】
図２０は本発明の実施例１０を示し、上記各実施例と同一部分に同一符号を付し、その詳細な説明を省略して詳述する。この例の取付部５７Ａは、左右の連結側板部２１，２１の前端を湾曲前板部６６により連結し、この湾曲前板部６６は前記雨樋本体２の外周に倣って湾曲している。前記連結側板部２１の後端に前記係止部１８と前記ストッパ片５６を設け、また、前記連結側板部２１の内側にビスホール３１を設けている。そして、前記取付部５７Ａは、アルミニウム合金の押出し成型などにより形成される。
【００９０】
前記固定部６は、固定本体１４からなり、この固定本体１４の左右両側に前記係止受部２４，２４を設けており、前記固定部６により取付部材４を構成している。
【００９１】
そして、雨樋本体２と別体の前記連結部材７の前記湾曲前板部６６を、シート材６７を挟んで雨樋本体２の外面に沿わせ、防水リベット６８等の固定手段により雨樋本体２に固定する。尚、前記シート材６７はゴム板や樹脂板などが用いられ、緩衝材となる。尚、前記防水リベット６８を用いた固定では、雨樋本体２にリベット６８を挿通する孔を防水することができる。
【００９２】
このように本実施例では、雨樋本体２の製造後に所望の形状の取付部５７Ａを設けることができ、例えば、雨樋本体２と壁面５との間隔に対応した取付部５７Ａを選択でき、利便性に優れる。また、緩衝材となるシート材６７を用いたから、雨樋１における振動、膨張や収縮に対応できる。
【実施例１１】
【００９３】
図２１は本発明の実施例１１を示し、上記各実施例と同一部分に同一符号を付し、その詳細な説明を省略して詳述する。この例では、雨樋本体２に設けた取付部に、固定部６の連結部を連結手段たるボルトナットにより連結する取付構造８を採用している。
【００９４】
同図に示すように、前記雨樋本体２には、左右対称のレール体たる突片７１，７１と、この突片７１，７１の内側に短い突片７２，７２とを一体に備え、突片７１，７２の間には、前後方向の溝部７３が設けられている。尚、突片７１，７１，７２，７２が取付部３Ａである。
【００９５】
この例では、前記取付部材４は固定部６のみからなり、この固定部６の固定本体１４の左右から前記固定側板部１７，１７を前側に突設し、これら固定側板部１７，１７は前記に突片７１，７１と平行をなす。それら固定側板部１７，１７の先端側に、前記固定側板部１７の略厚さに対応した段部７４を設け、前後方向から前記固定側板部１７の先端１７Ｓが溝部７３に挿入されると共に、前記突片７１の先端が前記段部７４に当接し、突片７１に対して固定部６が位置決めされる。この位置決め状態で連通する透孔７１Ｔ，１７Ｔが前記突片７１及び前記固定側板部１７の先端側に穿設されている。そして、前記固定側板部１７の先端１７Ｓにより、取付部３Ａを固定部６に連結する固定部側連結部を構成している。
【００９６】
従って、左右の透孔７１Ｔ，１７Ｔ，７１Ｔ，１７Ｔにボルト７５を挿通し、このボルト７５にナット７６を螺合して締めることにより、固定部６に雨樋本体２が連結固定される。尚、透孔７１Ｔ，１７Ｔは固定部６及び雨樋本体２の長さ方向に間隔を置いて複数穿設されている。
【００９７】
そして、取付構造８の固定側板部１７と突片７１の外面により登攀防止部９を構成している。
【００９８】
このように本実施例では、取付構造８は、雨樋本体２に設けられた取付部３Ａと、取付部３Ａに連結され雨樋本体２を壁面５に取り付ける取付部材４とを備えるから、上記各実施例と同様な作用・効果を奏し、また、取付部３Ａと取付部側連結部たる先端１７Ｓとを連結する締付連結手段たるボルト７５及びナット７６を備えから、ボルト７５の螺合により、雨樋本体２と固定部６とを連結固定することができる。
【実施例１２】
【００９９】
図２２は本発明の実施例１２を示し、上記各実施例と同一部分に同一符号を付し、その詳細な説明を省略して詳述する。この例では、実施例１１の固定部６の固定側板部１７の内面にビスホール３１を設けている。
【０１００】
従って、取付部材４の上下端面に当て板３２を皿ねじ３４により取り付けることができ、取付部材４内へのゴミや水の侵入を防止できる。
【実施例１３】
【０１０１】
図２３は本発明の実施例１３を示し、上記各実施例と同一部分に同一符号を付し、その詳細な説明を省略して詳述する。この例では、雨樋本体２に設けた取付部に、固定部６の固定部側連結部を連結手段たるボルトナットにより連結する取付構造８を採用している。
【０１０２】
同図に示すように、前記雨樋本体２は、左右対称のレール体たる突片８１，８１を一体に備え、これら突片８１，８１の間には、前後方向の溝部８２が設けられている。尚、突片８１，８１が取付部３Ｂである。
【０１０３】
この例では、前記取付部材４は固定部６のみからなり、この固定部６の固定本体１４の左右方向中央から固定中央板部８３を前側に突設し、この固定中央板部８３は前記突片８１，８１と平行をなす。また、前記固定中央板部８３の両外面には、ストッパ部たるストッパ片８４，８４が設けられている。そして、前後方向から前記固定中央板部８３の先端８３Ｓを前記溝部８２に挿入し、前記突片８１，８１の先端が前記ストッパ片８４，８４に当接し、これにより突片８１に対して固定部６が位置決めされる。この位置決め状態で連通する透孔８１Ｔ，８３Ｔが、前記突片８１及び前記固定中央板部８３の先端側に穿設されている。
【０１０４】
従って、透孔８１Ｔ，８３Ｔ，８１Ｔにボルト８５を挿通し、このボルト８５にナット８６を螺合して締めることにより、固定部６に雨樋本体２が連結固定される。尚、透孔８１Ｔ，８３Ｔは固定部６及び雨樋本体２の長さ方向に間隔を置いて複数穿設されている。
【０１０５】
また、固定部６の固定本体１４には、固定中央板部８３の左右がアンカーボルト１６，１６により壁面５に固定されている。そして、前記固定中央板部８３の溝部８２に挿入される先端８３Ｓにより固定部側連結部を構成している。
【０１０６】
そして、取付構造８の固定中央板部８３の外面と左右の突片８１，８１の外面により登攀防止部９，９を構成している。
【０１０７】
このように本実施例では、取付構造８は、雨樋本体２に設けられた取付部３Ｂと、取付部３Ｂに連結され雨樋本体２を壁面５に取り付ける取付部材４とを備えるから、上記各実施例と同様な作用・効果を奏し、また、取付部３Ｂと取付部側連結部たる先端８３Ｓとを連結する締付連結手段たるボルト８５及びナット８６を備えから、ボルト８５の螺合により、雨樋本体２と固定部６とを連結固定することができる。
【実施例１４】
【０１０８】
図２４は本発明の実施例１４を示し、上記各実施例と同一部分に同一符号を付し、その詳細な説明を省略して詳述する。この例では、前記当て板３２の取付構造の変形例を示し、同図に雨樋本体２の長さ方向途中で、ガイドレール３と取付部材４に、長さ方向と交差方向の挿入溝８８を形成し、この挿入溝８８に前記当て板３２を挿入し、必要に応じて当て板３２を挿入溝８８に接着などにより固定している。
【０１０９】
従って、雨樋本体２の長さ方向途中で、取付部材４に対して固定された当て板３２に、雨樋本体２のガイドレール３が支持される。
【０１１０】
このように本実施例では、取付部材４の長さ方向の途中に雨樋本体２の取付部たるガイドレール３を支持する支持体たる当て板３２を設けたから、雨樋本体２の下方へのずれを防止でき、当て板３２は取付部材４の上端面、下端面及び途中の少なくともいずれかに配置することができる。
【実施例１５】
【０１１１】
図２５〜図２７は本発明の実施例１５を示し、上記各実施例と同一部分に同一符号を付し、その詳細な説明を省略して詳述する。この実施例１５〜実施例２９は、新設又は既設の雨樋１に登攀防止部９を設けることができ、特に既設の雨樋１に適したものを示す。
【０１１２】
この例の雨樋本体２は、取付部であるガイドレール３として実施例３の突片１１Ａと先端縁部１２Ａを有している。
【０１１３】
前記雨樋本体２は、該雨樋本体２の長さ方向に間隔を置いて配置した前記取付具４３により、前記壁面５に取り付けられ、ガイドレール３と取付具４３により取付構造９０を構成している。この例では、既設の雨樋本体２と既設の取付構造９０を示す。
【０１１４】
前記取付具４３は、取付具本体９１の前側に、前記ガイドレール３内に抜け止め状態で係入する径大係入部９２を有し、その取付具本体９１の基端側を固定手段たるアンカーボルト９３により前記壁面５に固定している。尚、前記径大係入部９２はガイドレール３の端面から該ガイドレール３内に挿入され、長さ方向にスライドして所定位置でガイドレール３に位置固定できるものである。
【０１１５】
前記雨樋１に設ける登攀防止構造１０１は、登攀防止部材ある一対のカバー体１０２，１０２と、これらカバー体１０２，１０２同士を連結する複数のボルト１０３とを備え、このボルト１０３が登攀防止部材たるカバー体１０２，１０２同士を連結する登攀防止部材連結手段である。また、カバー体１０２は、雨樋本体２と同じ長さのもの用いたり、雨樋本体２の長さ以上のものを用いたりすることができ、長さ以上のものを用いた場合、上下の雨樋本体２，２の接合個所４９に跨ってカバー体１０２を取付けることができる。
【０１１６】
前記カバー体１０２，１０２は、前記取付具４３を挟んで略左右対称な形状を有し、側板部１０４の基端側に、内側に屈曲した屈曲部１０５を一体に設けている。また、一方のカバー体１０２の側板部１０４の内面には、対をなす平行な突条片１０６，１０６によりビスホール１０７が複数設けられ、他方のカバー体１０２の内面に設けたビスホール１０７Ａは、対をなす突条片１０６，１０６により形成されると共に、それら対をなす突条片１０６，１０６の先端部１０６Ｓ，１０６Ｓの間隔が、先端側に向かって広がるように形成されている。そして、カバー体１０２は、アルミニウム合金の押出し成型機などにより形成され、図に示す断面形状が長さ方向全長に連続して形成される。尚、材質はアルミニウム合金以外のものでもよい。
【０１１７】
図２５に示すように、前記カバー体１０２は、屈曲部１０５の外面が壁面５に当接すると共に、側板部１０４の先端１０４Ｓが雨樋本体２の外周に当接するように配置される。また、前記取付具４３の上部に対応して、一方のカバー体１０２の側板部１０４には、前記ビスホール１０７に連通する透孔１０８が穿設され、複数の透孔１０８，１０８，１０８，１０８が同一高さ位置に設けられている。また、透孔１０８は上下複数段に設けられている。
【０１１８】
前記一対のカバー体１０２，１０２の上端面及び下端面には、板状の蓋体１０９，１０９が設けられ、この蓋体１０９には前記ビスホール１０７，１０７Ａに対応して透孔１１０が穿設され、この透孔１１０にビス１１１を挿通し、このビス１１１をビスホール１０７，１０７Ａに螺合することにより、カバー体１０２，１０２に蓋体１０９を固定している。
【０１１９】
前記ビスホール１０７を設けた前記カバー体１０２の外面には、前記ビスホール１０７の位置に対応して、縦筋からなる印１０８Ｓが設けられ、この印１０８Ｓは成型時に断面三角形の細溝などを形成することにより設けられ、現場で前記印１０８Ｓの位置をドリル等で穿設することにより、前記透孔１０８を形成することができる。尚、蓋体１０９は長さ方向に連続して設けたカバー体１０２，１０２の最上端の端部と最下端の端部に設ければよいが、長さ方向に連続して設けたカバー体１０２，１０２の間に設ける場合は、上記実施例と同様に、蓋体１０９に前記透孔３３を穿設し、前記皿ねじ３４により固定すれば、皿ねじ３４の頭部が蓋体１０９の面から出っ張らない。
【０１２０】
次に、上記構成につきその作用・効果を説明する。既設の雨樋１に登攀防止効果を付与する場合を例に説明すると、既設の雨樋１に対応して登攀防止構造１０１を形成し、雨樋１の略全長又は必要な部分に登攀防止構造１０１を設ける。この場合の長さなどは上記各実施例と同様である。
【０１２１】
既設の雨樋本体２の後部と取付具４３を挟むようにして左右のカバー体１０２，１０２を配置し、一方のカバー体１０２の透孔１０８にボルト１０３を挿通し、このボルト１０３を他方のカバー体１０２のビスホール１０７に螺合する。この場合、ボルト１０３は一方のビスホール１０７の平行な突条片１０６，１０６により正しい向きに案内されると共に、他方のビスホール１０７Ａの先端が拡大しているため、他方のビスホール１０７Ａにスムーズに螺合することができる。尚、図２６では説明のためボルト１０３を１本のみ図示しているが、１箇所に複数のボルト１０３を使用する。また、ガイドレール３を挟むビスホール１０７，１０７Ａ（図２６で最上部のビスホール１０７，１０７Ａ）を使用する場合は、ガイドレール３にボルト１０３を挿通する透孔（図示せず）を現場で穿設する。尚、新設の場合は、工場で前記透孔を穿設する。
【０１２２】
そして、ボルト１０３の中央側を前記取付具４３の上などに載置することにより、雨樋本体２に対して登攀防止構造１０１の高さを決めることができる。また、ボルト１０３により一体化された一対のカバー体１０２，１０２は、屈曲部１０５，１０５が壁面５に当接すると共に、湾曲した雨樋本体２の外面に先端１０４Ｓ，１０４Ｓが圧接するため、前後左右に位置決めされる。尚、必要に応じて取付箇所取付手段（図示せず）により一対のカバー体１０２，１０２をそれぞれ壁面５に直接取付固定してもよい。
【０１２３】
このようにして取付けた左右のカバー体１０２，１０２は、その側板部１０４，１０４の外面が登攀防止部９，９となり、雨樋１を用いてよじ登ることを防止できる。
【０１２４】
このように本実施例では、請求項１に対応して、筒状の雨樋本体２と、雨樋本体２を取付箇所たる壁面５に取り付ける取付構造９０とを備えた雨樋において、雨樋本体２の長さ方向に長く形成されると共に該雨樋本体２と壁面５との隙間を塞ぐ登攀防止部９を備えるから、壁面５との隙間を塞ぐ登攀防止部９が設けられているため、雨樋１を用いてよじ登ることを防止できる。
【０１２５】
このように本実施例では、請求項２に対応して、登攀防止部９が面状をなすから、面状の外面によりよじ登ることを防止できる。
【０１２６】
このように本実施例では、請求項３に対応して、取付構造９０を挟む左右両側に、登攀防止部９を有する登攀防止部材たるカバー体１０２，１０２を配置したから、左右両側のカバー体１０２，１０２によりよじ登ることを防止できる。
【０１２７】
このように本実施例では、請求項５に対応して、左右の登攀防止部材たるカバー体１０２，１０２同士を連結したから、左右の登攀防止部材たるカバー体１０２，１０２同士を連結して取り付けることができる。
【０１２８】
このように本実施例では、請求項８に対応して、左右の登攀防止部材カバー体１０２，１０２の端面に蓋体１０９を設けたから、登攀防止部材カバー体１０２，１０２の間へのゴミや水の侵入を防止できる。
【０１２９】
このように本実施例では、請求項９に対応して、登攀防止部９の長さは雨樋本体２の長さ以上であるから、登攀防止効果が向上する。
【０１３０】
また、実施例上の効果として、ボルト１０３は一方のビスホール１０７の平行な突条片１０６，１０６により方向を案内されると共に、他方のビスホール１０７Ａの先端が拡大しているため、ボルト１０３を他方のビスホール１０７Ａにスムーズに螺合することができる。さらに、カバー体１０２は、雨樋本体２の後側と壁面５との隙間を塞ぐから、雨樋本体２の側部と壁面５との間に設ける場合より、前後方向に短くなり、材料費を削減できる。
【０１３１】
このように本実施例では、筒状の雨樋本体２と、雨樋本体２を取付箇所たる壁面５に取り付けた取付構造９０とを備えた既設の雨樋の改修用の施工方法において、前記取付構造９０を挟んで前記雨樋本体２と取付箇所たる壁面５との間を塞ぐ一対のカバー体１０２，１０２を配置する方法であるから、雨樋１を用いてよじ登ることを防止できる。
【０１３２】
また、先端側が開口する対をなす平行な突条片１０６，１０６によりビスホール１０７，１０７Ａを構成し、カバー体１０２，１０２の端部において、カバー体１０２の長さ方向のビス１１１を突条片１０６，１０６に螺合して蓋体１０９を固定し、カバー体１０２の厚さ方向からボルト１０３をビスホール１０７に挿通すると共に、ボルト１０３をビスホール１０７Ａに螺合してカバー体１０２，１０２を連結する方法であるから、ビスホール１０７，１０７Ａが蓋体１０９の固定と、カバー体１０２，１０２の連結との両者を兼用するから、施工性に優れたものとなる。
【０１３３】
さらに、ガイドレール３の突片１１Ａに透孔（図示せず）を穿設し、この透孔にボルト１０３を挿通し、ボルト１０３をビスホール１０７Ａに螺合するから、ボルト１０３により取付部たるガイドレール３にカバー体１０２，１０２を固定することができる。
【０１３４】
また、現場で透孔１１０を穿設することにより、ガイドレール３の透孔（図示せず）や、取付具４３の位置に合わせて透孔１１０を設けることができ、この際、印１０８Ｓによりビスホール１０７，１０７Ａの位置に透孔１１０を穿設することができる。
【実施例１６】
【０１３５】
図２８は本発明の実施例１６を示し、上記各実施例と同一部分に同一符号を付し、その詳細な説明を省略して詳述する。この例では、角形筒状の雨樋本体２に前記登攀防止構造１０１を適用している。
【０１３６】
角形の雨樋本体２に対して、側板部１０４，１０４の先端１０４Ｓ，１０４Ｓを後板部３６の端部に当接させ、左，右板部３７，３７と側板部１０４，１０４の外面が連続するように登攀防止構造１０１を取付け、左右のカバー体１０２，１０２をボルト１０３で連結しており、左右の外面に連続した面が表れると共に、取付具４３全体がカバー体１０２，１０２の内部に隠れ、意匠性にも優れたものとなる。
【０１３７】
このように本実施例では、上記各実施例と同様な作用・効果を奏し、この例のように雨樋本体２が角形のものにも各実施例を適用可能である。また、この例では、左，右板部３７，３７と左，右側板部１０４，１０４の外面が連続し、全体として箱形の外観が表れ、意匠性に優れたものとなる。
【実施例１７】
【０１３８】
図２９は本発明の実施例１７を示し、上記各実施例と同一部分に同一符号を付し、その詳細な説明を省略して詳述する。この例では、前記雨樋本体２には取付部は設けられておらず、該雨樋本体２の長さ方向に間隔を置いて配置した前記取付具４４により、雨樋本体２が前記壁面５に取り付けられている。
【０１３９】
既設の取付構造９０たる前記取付具４４は、円形の雨樋本体２に外装するバンド体１１５を備える。このバンド体１１５は所定幅を有し、該バンド体１１５の後端には前後方向の左右の挟持部１１６，１１６が設けられている。
【０１４０】
前記固定手段としてアンカーボルトである羽子板ボルト１１７を用い、この羽子板ボルト１１７の先端側を前記左右の挟持部１１６，１１６により挟持した状態で、挟持部１１６と羽子板ボルト１１７と挟持部１１６の透孔（図示せず）に、締付手段たるボルト１１８を挿通し、このボルト１１８にナット１１９を螺合することにより、バンド体１１５を羽子板ボルト１１７に固定し、この羽子板ボルト１１７の基端側は前記壁面５に固定されている。尚、バンド体１１５の固定には２本のボルト１１８，１１８が用いられている。また、バンド体１１５の周方向中央にはヒンジ部１１５Ａが設けられ、このヒンジ部１１５Ａを中心にバンド体１１５の左右が回動する。
【０１４１】
そして、側板部１０４，１０４の先端１０４Ｓ，１０４Ｓをバンド体１１５の外周に当接させ、左右のカバー体１０２をボルト１０３で連結して登攀防止構造１０１を取付け、これにより雨樋本体２と壁面５との隙間が登攀防止部９により塞がれる。
【０１４２】
このように本実施例では、上記各実施例と同様な作用・効果を奏し、また、登攀防止構造１０１により、取付構造９０が隠され、意匠性に優れたものとなる。
【実施例１８】
【０１４３】
図３０及び図３１は本発明の実施例１８を示し、上記各実施例と同一部分に同一符号を付し、その詳細な説明を省略して詳述する。この例では、取付部たるガイドレール３と取付具の変形例を示す。
【０１４４】
円形の雨樋本体２の後部の左右には、実施例３の突片１１Ａと先端縁部１２Ａを備えたガイドレール３，３が左右に間隔を置いて一体成形により設けられている。
【０１４５】
取付構造９０たる取付具４３Ａは、平面コ字形の固定部１２１と、平面コ字形の取付部材１２２とを備え、前記固定部１２１の固定板部１２１Ａが左右の前記アンカーボルト１６，１６により壁面５に固定される。また、固定部１２１は、帯板の両側を屈曲して前記固定板部１２１Ａの両側に前後方向の側板部１２１Ｂ，１２１Ｂを一体に有する。同様に、前記取付部材１２２は、帯板の両側を屈曲して取付板部１２２Ａの両側に前後方向の側板部１２２Ｂ，１２２Ｂを一体に有する。
【０１４６】
そして、固定部１２１の側板部１２１Ｂの内面側に、取付部材１２２の側板部１２２Ｂの外面側を重ね合わせ、それら重ね合わせ状態の側板部１２１Ｂ，１２２Ｂにそれぞれ穿設した透孔（図示せす）に、固定手段たるボルト１２３を挿通し、このボルト１２３にナット１２４を螺合することにより、固定部１２１に取付部材１２２を固定している。
【０１４７】
また、取付板部１２２Ａの左右には、前記径大係入部９２を有するボルト１２５が挿通され、このボルト１２５にナット１２６が螺合され、ガイドレール３の端部から前記径大係入部９２を挿入することにより、左右のガイドレール３，３に取付部材１２２が連結される。この場合、ナット１２６を締めることにより、ガイドレール３が取付板部１２２Ａに固定される。
【０１４８】
そして、図３０に示すように、側板部１０４，１０４の先端１０４Ｓ，１０４Ｓを雨樋本体２の後側外周に当接させ、左右のカバー体１０２を前記ボルト１０３により連結して登攀防止構造１０１を取付けており、必要に応じてカバー体１０２を前記取付箇所取付手段により壁面５等に固定し、これにより雨樋本体２と壁面５との隙間が登攀防止部９により塞がれる。
【０１４９】
このように本実施例では、筒状の雨樋本体２と、雨樋本体２を取付箇所たる壁面５に取り付ける取付構造９０とを備えた雨樋において、雨樋本体２の長さ方向に長く形成されると共に該雨樋本体２と壁面５との隙間を塞ぐ登攀防止部９を備えるから、上記各実施例と同様な作用・効果を奏する。
【０１５０】
また、ガイドレール３を左右に有するから、雨樋本体２を安定して取り付けることができる。さらに、この例は、新設にも用いることができ、この場合は、新設の取付構造９０により雨樋本体２を壁面５に取り付ける。
【０１５１】
このように本実施例では、筒状の雨樋本体２と、雨樋本体２を取付箇所たる壁面５に取り付けた取付構造９０とを備えた既設の雨樋の改修用の施工方法において、前記取付構造９０は、取付部たる前記ガイドレール３と、取付具４３とを備え、壁面５に固定した取付具４３にガイドレール３を連結固定し、前記取付構造９０を挟んで前記雨樋本体２と取付箇所たる壁面５との間を塞ぐ一対のカバー体１０２，１０２を配置する方法であるから、雨樋１を用いてよじ登ることを防止できる。
【実施例１９】
【０１５２】
図３２は本発明の実施例１９を示し、上記各実施例と同一部分に同一符号を付し、その詳細な説明を省略して詳述する。この例では、上記実施例１８の取付構造９０において、雨樋本体２が方形のものを示している。
【０１５３】
登攀防止構造１０１は、側板部１０４の先端に内側に屈曲した先端屈曲部１１２を設け、この先端屈曲部１１２の長さは前記突条片１０６と同一である。そして、側板部１０４は、後側を屈曲部１０５を壁面５に当接し、カバー体１０２の前側において、先端屈曲部１１２の先端及びビスホール１０７の先端を雨樋本体２の左右側板に当接した状態で取り付けられる。
【０１５４】
このように本実施例では、上記各実施例と同様な作用・効果を奏し、また、この例では、カバー体１０２の前側は、先端屈曲部１１２の先端及びビスホール１０７の先端を雨樋本体２の左右側板に当接した状態で取り付けたから、安定した取付け状態が得られる。また、この例の蓋体１０９は、左右の幅が側板部１０４，１０４の外面の間隔で、前後の幅が屈曲部１０５と先端屈曲部１１２の外面の間隔で、先端屈曲部１１２から後側に入った雨樋本体２の部分を切り取った形状のものを用いることができる。
【実施例２０】
【０１５５】
図３３〜図３５は本発明の実施例２０を示し、上記各実施例と同一部分に同一符号を付し、その詳細な説明を省略して詳述する。この例では、実施例１で示した雨樋本体２は、該雨樋本体２の長さ方向に間隔を置いて配置した取付構造９０たる前記取付具４３により、前記壁面５に取り付けられており、ガイドレール３と取付具４３により取付構造９０を構成している。
【０１５６】
前記雨樋１に設ける登攀防止構造１３１は、登攀防止部材たる一対の平板状カバー体１３２，１３２と、このカバー体１３２同士を連結すると共に壁面５に固定する防止部材用固定部たる固定部１３３とを備える。
【０１５７】
前記固定部１３３は帯板を屈曲形成してなり、前板部１３４と、この前板部１３４の両側から後向きに設けられた側板部１３５，１３５と、これら側板部１３５，１３５の基端から外向きに設けられた後板部１３６，１３６とを一体に備える。前記後板部１３６，１３６には、前記透孔１５，１５が穿設され、前記アンカーボルト１６，１６により固定部１３３が壁面５に固定される。
【０１５８】
前記固定部１３３と前記カバー体１３２とはボルト１３７により固定され、その固定部１３３の側板部１３５と前記カバー体１３２の後部に透孔１３５Ｔ，１３２Ａが穿設されており、これら透孔１３５Ｔ，１３２Ａ，１３２Ａ，１３５Ｔに前記ボルト１３７を挿通し、このボルト１３７にナット１３８を螺合することにより、固定部１３３にカバー体１３２の後側が固定される。
【０１５９】
また、前記カバー体１３２の前側には、透孔１３２Ｂが穿設され、図３５に示すように、前記透孔１３２Ｂに対応して、前記ガイドレール３の突片１１，１１に透孔１１Ｔ，１１Ｔが穿設されている。そして、前記透孔１３２Ｂ，１１Ｔ，１１Ｔ，１３２Ｂに前記ボルト１３７を挿通し、このボルト１３７にナット１３８を螺合することにより、ガイドレール３にカバー体１３２の前側が固定される。このようにこの例では、カバー体１３２を、前記取付部材４の連結部材７とすることもできる。
【０１６０】
そして、既設の雨樋１に対する施工においては、雨樋本体２の後方の壁面５に所定間隔で固定部１３３を取付け、固定部１３３の高さ位置に対応して、現場でガイドレール３に透孔１１Ｔ，１１Ｔをドリルなどの穿孔手段（図示せず）により穿設し、カバー体１３２の後部をボルト１３７により固定部１３３に固定すると共に、カバー体１３２の前部をボルト１３７によりガイドレール３に固定し、同時にボルト１３７により両側のカバー体１３２，１３２同士を締付固定する。
【０１６１】
このようにして雨樋本体２と壁面５の両側の隙間をカバー体１３２，１３２により塞ぎ、これらカバー体１３２，１３２の外面により面状の登攀防止部９，９を得ることができる。
【０１６２】
このように本実施例では、請求項１に対応して、筒状の雨樋本体２と、雨樋本体２を取付箇所たる壁面５に取り付ける取付構造９０とを備えた雨樋において、雨樋本体２の長さ方向に長く形成されると共に該雨樋本体２と壁面５との隙間を塞ぐ登攀防止部９を備えるから、上記各実施例と同様な作用・効果を奏する。また、カバー体１３２の内面を、固定部１３３の側板部１３５の外面に当接した状態で、ボルト１３７により固定するから、カバー体１３２を安定して固定することができる。
【０１６３】
また、新設の雨樋１に適用する場合は、登攀防止構造１３１を設ける箇所には、取付具４３は設けずに、壁面５に登攀防止構造１３１により雨樋本体２を取付けることができる。この場合は、設計条件により、固定部１３３の数や、カバー体１３２の前側に設ける透孔１３２Ｔ，透孔１１Ｔ及びこれらに挿通するボルト１３７の数を設定すればよい。そして、新設の場合、前記登攀防止構造１３１が雨樋本体２の前記取付構造であり、一対のカバー体１３２，１３２が前記連結部材であり、それら固定部１３３とカバー体１３２，１３２により前記取付部材が構成される。
【０１６４】
また、新設の場合は、固定部１３３，アンカーボルト１６，１６，ボルト１３７，１３７及びカバー体１３２，１３２が前記侵入防止取付構造８となる。また、カバー体１３２の前側が取付部側連結部であり、カバー体１３２の後側が固定部側連結部である。
【実施例２１】
【０１６５】
図３６は本発明の実施例２１を示し、上記各実施例と同一部分に同一符号を付し、その詳細な説明を省略して詳述する。この例では、実施例３で示したガイドレール３を有する雨樋本体２に、実施例２０の登攀防止構造１３１を適用しており、実施例２０と同様に既設の場合は雨樋本体２は前記取付具４３により壁面５に取り付けられている。また、登攀防止構造１３１における固定部の変形例を示す。
【０１６６】
この例の登攀防止構造１３１では、前記突片１１Ａに前記透孔１１Ｔが穿設されている。また、一対の固定部１３３Ａ，１３３Ａを有し、この固定部１３３Ａは、帯板を屈曲してなり、後板部１３６Ａと前向きの側板部１３５を一体に有する略Ｌ形をなす。
【０１６７】
前記左右の後板部１３６Ａ，１３６Ａは左右のカバー体１３２，１３２内に配置され、後板部１３６Ａ，１３６Ａがそれぞれ前記アンカーボルト１６により壁面５に固定されている。また、側板部１３５Ａの外面をカバー体１３２の内面に当接した状態で、前記透孔１３２Ａと側板部１３５Ａの前記透孔１３５Ｔに前記ボルト１３７を挿通し、該ボルト１３７にナット１３８を螺合している。
【０１６８】
この例においても、一対の固定部１３３Ａ，１３３Ａを雨樋本体２の長さ方向に所定間隔を置いて壁面５に固定した後、それら固定部１３３Ａ，１３３Ａを用いてカバー体１３２を取付けることができる。
【０１６９】
このように本実施例では、取付構造９０を挟む左右両側に、登攀防止部９を有する登攀防止部材たるカバー体１３２，１３２を配置したから、上記各実施例と同様な作用・効果を奏する。
【実施例２２】
【０１７０】
図３７は本発明の実施例２２を示し、上記各実施例と同一部分に同一符号を付し、その詳細な説明を省略して詳述する。この例では、登攀防止構造１３１における固定部の変形例と、カバー体１３２と雨樋本体２との連結構造の変形例を示す。
【０１７１】
固定部１３３Ｂは、帯板を屈曲形成してなり、後板部１３６Ｂの両側に前向きの側板部１３５Ｂ，１３５Ｂが設けられ、後板部１３６Ｂの左右がアンカーボルト１６により壁面５に固定されている。また、カバー体１３２の後部は、ボルト１３７により前記側板部１３５Ｂ，１３５Ｂに固定されている。
【０１７２】
雨樋本体２には、該雨樋本体２と別体の取付部１４１が設けられ、この取付部１４１は、帯板を屈曲形成してなり、前板部１４２の両側に後向きの側板部１４３，１４３が設けられ、前記前板部１４２の中央を防水リベット１４４により雨樋本体２の後部に固定している。
【０１７３】
また、前記側板部１４３には前記ボルト１３７を挿通する透孔１４３Ｔが穿設され、透孔１３２Ｂ，１４３Ｔ，１４３Ｔ，１３２Ｂにボルト１３７を挿通し、このボルト１３７にナット１３８を螺合して取付部１４１にカバー体１３２，１３２を連結すると共に、カバー体１３２，１３２の前側を締付固定している。
【０１７４】
このように本実施例では、取付構造９０を挟む左右両側に、登攀防止部９を有する登攀防止部材たるカバー体１３２，１３２を配置したから、上記各実施例と同様な作用・効果を奏する。
【０１７５】
また、本実施例は、新設にも適応可能であり、新設の場合は、固定部１３３Ｂ，取付部１４１，アンカーボルト１６，１６，ボルト１３７，１３７及びカバー体１３２，１３２が前記侵入防止取付構造８となり、他に取付構造９０を用いなくて済む。また、カバー体１３２の前側が取付部側連結部であり、カバー体１３２の後側が固定部側連結部である。
【実施例２３】
【０１７６】
図３８及び図３９は本発明の実施例２３を示し、上記各実施例と同一部分に同一符号を付し、その詳細な説明を省略して詳述する。この例では、ガイドレール３に取り付ける連結部材の変形例を示す。
【０１７７】
この例の連結部材は前記カバー体１３２，１３２であり、これらカバー体１３２，１３２に前記ボルト１３７とナット１３８により、取付部側連結部１５１が設けられている。この取付部側連結部１５１は、左右の前記係止溝５３，５３に係止する左右の係止片１５２，１５２と、これら係止片１５２，１５２に固定する係止片連結部材１５３とを備える。前記係止片１５２は、帯板を屈曲形成して内端に前記係止溝５３内に係止する係止部１５２Ａを有する。前記係止片連結部材１５３は、前記係止片１５２，１５２の内面側に沿う両側の脚部１５４，１５４と、これら脚部１５４，１５４の間に設けられたコ字形の中央部１５５とを一体に備え、帯板を屈曲形成することにより形成される。
【０１７８】
前記中央部１５５は、後板部１５５Ａの両側の側板部１５５Ｂ，１５５Ｂを有し、これら側板部１５５Ｂ，１５５Ｂには、前記ボルト１３７を挿通する透孔１５５Ｔ，１５５Ｔが穿設されている。また、前記脚部１５４には透孔１５４Ｔを穿設し、前記係止片１５２には、ビス１５６を螺合する孔１５６Ｈが穿設されている。
【０１７９】
そして、係止部１５２Ａを係止溝５３に係止した状態で、両側の脚部１５４，１５４の透孔１５４Ｔ，１５４Ｔにビス１５６，１５６を挿通し、これらビス１５６，１５６を孔１５６Ｈ，１５６Ｈに螺合することにより、係止片１５２，１５２と係止片連結部材１５３が一体化され、ガイドレール３に取付部側連結部１５１が取り付けられる。
【０１８０】
前記固定部１３３Ａ，１３３Ａを壁面５に取付けた後、カバー体１３２，１３２の前部を取付部側連結部１５１に固定すると共に、カバー体１３２，１３２の後部を固定部１３３Ａ，１３３Ａに固定する。カバー体１３２，１３２の前部を固定する場合、透孔１３２Ｂ，１５５Ｔ，１５５Ｔ，１３２Ｂにボルト１３７を挿通し、ボルト１３７にナット１３８を螺合することにより、連結部材たるカバー体１３２，１３２に取付部側連結部１５１が固定して設けられる。
【０１８１】
このようにしてカバー体１３２，１３２を設けることにより、カバー体１３２，１３２の外面が登攀防止部９，９となってよじ登りを防止できる。また、この例の取付部側連結部１５１は、係止溝５３に係止する係止部材たる係止片１５２，１５２と、係止状態の係止片１５２，１５２を固定する固定部材たる係止片連結部材１５３とを備え、この係止片連結部材１５３を連結部材となるカバー体１３２により固定部１３３Ａに固定するから、ガイドレール３の長さ方向からスライドする必要がなく、その場で係止片１５２，１５２をガイドレール３に連結することができる。
【０１８２】
また、本実施例は、新設にも適用可能であり、新設の場合は、固定部１３３Ａ，アンカーボルト１６，１６，ボルト１３７，１３７及びカバー体１３２，１３２が前記侵入防止取付構造８となり、また、カバー体１３２の前側が取付部側連結部であり、カバー体１３２の後側が固定部側連結部である。
【実施例２４】
【０１８３】
図４０は本発明の実施例２４を示し、上記各実施例と同一部分に同一符号を付し、その詳細な説明を省略して詳述する。この例では、上記実施例２１において、角形の雨樋本体２を適用している。
【０１８４】
角形の雨樋本体２には、前記突片１１，１１を有するガイドレール３が設けられている。また、カバー体１３２，１３２の間隔を、雨樋本体２の左，右板部３７，３７に対応して設定し、カバー体１３２，１３２の先端を、雨樋本体２の左，右板部３７，３７に当接又は近接させ、カバー体１３２，１３２の外面と左，右板部３７，３７の外面が連続する。
【０１８５】
また、固定部１３３Ａにおいて側板部１３５Ａには孔１３５Ｈが穿設され、ビス１５７を透孔１３２Ａに挿通し、そのビス１５７を孔１３５Ｈに螺合することにより、カバー体１３２の後部を固定部１３３Ａに固定している。
【０１８６】
このように本実施例では、取付構造９０を挟む左右両側に、登攀防止部９を有する登攀防止部材たるカバー体１３２，１３２を配置したから、上記各実施例と同様な作用・効果を奏し、また、本実施例は、新設にも適応可能である。
【実施例２５】
【０１８７】
図４１は本発明の実施例２５を示し、上記各実施例と同一部分に同一符号を付し、その詳細な説明を省略して詳述する。この例では、実施例１７において、登攀防止構造の変形例を示す。
【０１８８】
この例の登攀防止構造１６０は、雨樋本体２の全体を覆う登攀防止部材たるカバー体１６１と、このカバー体１６１を壁面５に固定する前記固定部１３３Ａとを備える。
【０１８９】
前記カバー体１６１は、前記バンド体１１５より径大で雨樋本体２の前側外周と間隔を置いて配置される前カバー部たる半円状部１６２と、この半円状部１６２と前記壁面５との間に設けられる登攀防止部材たる前後方向の側板部１６３，１６３とを一体に備える。この側板部１６３の後部には、内側に向いた後板部１６４と、この後板部１６４の先端に後向き設けた後側板部１６５が設けられ、これら後板部１６４，後側板部１６５及び壁面５との間に凹部１６６が形成されている。
【０１９０】
前記後側板部１６５には透孔１６５Ｔが穿設され、この透孔１６５Ｔに挿通したビス１５７を前記孔１３５Ｈに螺合することにより、カバー体１６１が壁面５に固定され、カバー体１６１の外面が登攀防止部９になる。また、前記凹部１６６に、防水性の充填材を充填し、カバー体１６１と壁面５との固定箇所に防水性を付与している。
【０１９１】
このように本実施例では、上記各実施例と同様な作用・効果を奏し、また、この例では、請求項７に対応して、左右の登攀防止部材たる側板部１６３，１６３の先端を、雨樋本体２の外側を覆う前カバー部たる半円状部１６２により連結したから、左右の側板部１６３，１６３と半円状部１６２により雨樋本体２を全体を覆うことができ、意匠性も向上する。
【実施例２６】
【０１９２】
図４２は本発明の実施例２６を示し、上記各実施例と同一部分に同一符号を付し、その詳細な説明を省略して詳述する。この例では、実施例２５の登攀防止構造１６０の変形例を示す。
【０１９３】
この例のカバー体１６１Ａは、登攀防止部材たる左右の前記側板部１６３，１６３の前端を左右方向の前カバー部たる前板部１６８により連結し、該カバー体１６１Ａは平面略方形をなす。
【０１９４】
このように本実施例では、上記各実施例と同様な作用・効果を奏する。
【実施例２７】
【０１９５】
図４３は本発明の実施例２７を示し、上記各実施例と同一部分に同一符号を付し、その詳細な説明を省略して詳述する。この例の登攀防止構造１７１は、登攀防止部材たる左右一対のカバー部材１７２，１７２を備える。
【０１９６】
前記カバー部材１７２は、側板部１７３と、この側板部１７３の後端に設けた後板部１７４を一体に設けた略Ｌ形をなす。そして、前記後板部１７４の前記透孔１５にアンカーボルト１６を挿通し、アンカーボルト１６を壁面５に固定することより、カバー部材１７２を壁面５に固定し、この固定状態で、前記側板部１７３の先端内面を前記バンド体１１５の外周面で前後方向中央の左右に沿わせ、前記側板部１７３の外面により、長さ方向に長尺な登攀防止部９を構成している。このように前記後板部１７４とアンカーボルト１６により、防止部材用固定部を構成している。
【０１９７】
このように本実施例では、請求項３に対応して、取付構造９０を挟む左右両側に、登攀防止部９を有するカバー部材１７２，１７２を配置したから、左右両側のカバー部材１７２，１７２によりよじ登ることを防止できる。
【実施例２８】
【０１９８】
図４４は本発明の実施例２８を示し、上記各実施例と同一部分に同一符号を付し、その詳細な説明を省略して詳述する。この例の登攀防止構造１７１は、左右一方に前記カバー部材１７２を設けてなる。
【０１９９】
このように本実施例では、請求項４に対応して、取付構造９０の左右一方に、登攀防止部９を有する登攀防止部材たるカバー部材１７２を配置したから、左右一方のカバー部材１７２によりよじ登ることを防止でき、構造が比較的簡易となる。
【実施例２９】
【０２００】
図４５は本発明の実施例２９を示し、上記各実施例と同一部分に同一符号を付し、その詳細な説明を省略して詳述する。この例では、実施例２７及び２８の変形例を示す。
【０２０１】
この例では、カバー部材１７２と同一形状のカバー取付具１７６を用い、このカバー取付具１７６は帯板を屈曲形成してなる。壁面５に前記カバー取付具１７６を所定間隔を置いて固定し、これら前記カバー取付具１７６，１７６・・・の外面に、取付手段（図示せず）により、カバー板１７７を長さ方向に連続して取付け、カバー板１７７の外面により登攀防止部９を構成している。
【０２０２】
このように本実施例では、請求項３に対応して、取付構造９０を挟む左右両側に、登攀防止部９を有するカバー板１７７，１７７を配置したから、左右両側のカバー部材１７２，１７２によりよじ登ることを防止できる。また、この例では、カバー取付具１７６を、雨樋本体２の長さ方向に間隔を置いて固定するから、材料費を削減でき、また、カバー板１７７，１７７の交換を比較的簡便に行うことができる。
【実施例３０】
【０２０３】
図４６は本発明の実施例３０を示し、上記各実施例と同一部分に同一符号を付し、その詳細な説明を省略して詳述する。この例では、雨樋本体２に登攀防止構造１８１を一体に設けている。
【０２０４】
雨樋本体２には、前記カバー部材１７２と略同一形状のカバー部材１８２を、アルミニウム合金の押出し成型などにより一体形成し、登攀防止部材たるカバー部材１８２は、側板部１８３の後端に設けた後板部１８４を一体に設けた略Ｌ形をなし、雨樋本体２の左右にそれぞれ設けられている。このように前記後板部１８４とアンカーボルト１６により、防止部材用固定部を構成している。
【０２０５】
そして、前記後板部１８４の前記透孔１５にアンカーボルト１６を挿通し、アンカーボルト１６を壁面５に固定することより、雨樋本体２を壁面５に固定し、前記側板部１８３の外面により、長さ方向に長尺な登攀防止部９が構成される。また、カバー部材１８２により雨樋本体２を壁面５に固定するから、取付具が不要になる。
【０２０６】
このように本実施例では、登攀防止部９を有するカバー部材１７２，１７２を左右両側に配置したから、左右両側のカバー部材１７２，１７２によりよじ登ることを防止できる。また、この例では、雨樋本体２にカバー部材１７２を一体に設けたから、壁面５への取付構造を簡略化できる。
【実施例３１】
【０２０７】
図４７は本発明の実施例３１を示し、上記各実施例と同一部分に同一符号を付し、その詳細な説明を省略して詳述する。この例では、雨樋本体２に登攀防止構造１８１Ａを一体に設けている。
【０２０８】
前記登攀防止構造１８１Ａは、登攀防止部材たる中央板部１８６の後部に後板部１８７を一体に設けたＴ字形をなし、アルミニウム合金の押出し成型などにより一体形成などにより、前記中央板部１８６の先端を雨樋本体２の後部中央に一体に設けている。
【０２０９】
そして、前記後板部１８７の左右の前記透孔１５にアンカーボルト１６を挿通し、アンカーボルト１６を壁面５に固定することより、雨樋本体２を壁面５に固定し、前記中央板部１８６の両外面により、長さ方向に長尺な登攀防止部９，９が構成される。このように前記後板部１８７とアンカーボルト１６により、防止部材用固定部を構成している。
【０２１０】
このように本実施例では、登攀防止部９を有する登攀防止構造１８１Ａの中央板部１８６を中央に配置したから、登攀防止構造１８１Ａによりよじ登ることを防止できる。また、この例では、雨樋本体２に登攀防止構造１８１Ａを一体に設けたから、壁面５への取付構造を簡略化できる。
【０２１１】
以上、本発明の実施例について詳述したが、本発明は前記各実施形態に限定されるものではなく、本発明の要旨の範囲内で種々の変形実施が可能である。例えば、実施例で帯板を用いたものは、部材を押出し成型機や曲げ成型機により長尺に形成した後、切断して所定幅に形成したものを用いてもよい。また、実施例のボルト及びビスは締付固定手段である。さらに、部材同士の固定や部材と取付箇所との固定には、各種の固定手段を用いることができる。また、実施例では、当て板の固定手段として皿ねじを用いたが、当て板を取付部材の端面に接着などの他の固定方法により固定してもよい。また、固定部と取付部材との連結は各種の構造を採用できる。さらに、固定部と取付部との連結も各種の構造を用いることができる。また、取付箇所が下面５Ｋの場合、横方向の雨樋本体の下が前（先端側）、上が後（基端側）となり、さらに、斜めの取付箇所に雨樋本体を取付けてもよい。
【符号の説明】
【０２１２】
１  雨樋
２  雨樋本体
２Ｙ  横樋
３  ガイドレール（取付部）
４  取付部材
５  壁面（取付箇所）
５Ｋ  下面（取付箇所）
６  固定部
９  登攀防止部
１０２  カバー体（登攀防止部材）
１３２  カバー体（登攀防止部材）
１３３  固定部（防止部材用固定部）
１３３Ａ  固定部（防止部材用固定部）
１３３Ｂ  固定部（防止部材用固定部）
１６２  半円状部（前カバー部）
１６３  側板部（登攀防止部材）
１６１Ａ  カバー体（登攀防止部材）
１６８  前板部（前カバー部）
１７２  カバー部材（登攀防止部材）
１７４  後板部（防止部材用固定部）
１７７  カバー板（登攀防止部材）
１８２  カバー部材（登攀防止部材）
１８４  後板部（防止部材用固定部）
１８６  中央板部（登攀防止部材）
１８７  後板部（防止部材用固定部）
【図１】
2018131867.tif 000003
【図２】
2018131867.tif 000004
【図３】
2018131867.tif 000005
【図４】
2018131867.tif 000006
【図５】
2018131867.tif 000007
【図６】
2018131867.tif 000008
【図７】
2018131867.tif 000009
【図８】
2018131867.tif 000010
【図９】
2018131867.tif 000011
【図１０】
2018131867.tif 000012
【図１１】
2018131867.tif 000013
【図１２】
2018131867.tif 000014
【図１３】
2018131867.tif 000015
【図１４】
2018131867.tif 000016
【図１５】
2018131867.tif 000017
【図１６】
2018131867.tif 000018
【図１７】
2018131867.tif 000019
【図１８】
2018131867.tif 000020
【図１９】
2018131867.tif 000021
【図２０】
2018131867.tif 000022
【図２１】
2018131867.tif 000023
【図２２】
2018131867.tif 000024
【図２３】
2018131867.tif 000025
【図２４】
2018131867.tif 000026
【図２５】
2018131867.tif 000027
【図２６】
2018131867.tif 000028
【図２７】
2018131867.tif 000029
【図２８】
2018131867.tif 000030
【図２９】
2018131867.tif 000031
【図３０】
2018131867.tif 000032
【図３１】
2018131867.tif 000033
【図３２】
2018131867.tif 000034
【図３３】
2018131867.tif 000035
【図３４】
2018131867.tif 000036
【図３５】
2018131867.tif 000037
【図３６】
2018131867.tif 000038
【図３７】
2018131867.tif 000039
【図３８】
2018131867.tif 000040
【図３９】
2018131867.tif 000041
【図４０】
2018131867.tif 000042
【図４１】
2018131867.tif 000043
【図４２】
2018131867.tif 000044
【図４３】
2018131867.tif 000045
【図４４】
2018131867.tif 000046
【図４５】
2018131867.tif 000047
【図４６】
2018131867.tif 000048
【図４７】
2018131867.tif 000049